(57)【特許請求の範囲】
【請求項１】
前後壁の一方又は両方に形成された開口部に前後壁に設けられるガイド体を上下して開閉する落とし扉を有する直方体状の動物の捕獲檻であり、この捕獲檻が上記した落とし扉を含む前後壁と左右側壁及び天井壁とで形成されて底部材を設けていない籠であるとともに、捕獲檻を前後に傾けて設置したとき、ガイド体が直立するよう左右側壁が側面視で平行四辺形に変形できるものであることを特徴とする動物の捕獲檻。
【発明の詳細な説明】
【０００１】
【発明の属する技術分野】
本発明は、動物、中でもイノシシ等の害獣を捕獲する捕獲檻に関する。
【０００２】
【従来の技術】
この種の捕獲檻は、一般に籠形をしており、その対向する壁に開口部を設けてこの開口部を動物が歩行する獣道等の中に位置させて仕掛けている。そして、この開口部には落し扉が設けられており、捕獲檻に動物が入ると、落し扉が落ちて中に動物を閉じ込める仕組みである。この場合、捕獲檻にはある程度の剛性が要求されることから、周囲すべてを周壁で囲んでいる。従って、底壁（部材）も当然ながら設けられており、これが獣道の上に敷設される状態である。
【０００３】
【発明が解決しようとする課題】
ところが、この種の動物は非常に警戒心が強く、このように獣道から一段高くなって、しかも人工の部材を設けていると、捕獲檻の中に入って来ない。又、落とし扉の落下は、所謂、自重式を採用しており、落とし扉をガイド体の中に上下にスライド可能に設けておき、捕獲檻の中に動物が入って来て中の引金部材に触れると、それを合図に落とし扉が自重で落ちるようにしている。従って、この捕獲檻を傾斜地（勾配）等に仕掛けておくと、落とし扉がガイド体に対してこじて落下できないといったことがあった。本発明は、このような課題を解決するものであり、動物に警戒心を起こさせないようにするとともに、勾配がある地にも仕掛けられるようにしたものである。
【０００４】
【課題を解決するための手段】
以上の課題の下、本発明は、請求項１に記載した、前後壁の一方又は両方に形成された開口部に前後壁に設けられるガイド体を上下して開閉する落とし扉を有する直方体状の動物の捕獲檻であり、この捕獲檻が上記した落とし扉を含む前後壁と左右側壁及び天井壁とで形成されて底部材を設けていない籠であるとともに、捕獲檻を前後に傾けて設置したとき、ガイド体が直立するよう左右側壁が側面視で平行四辺形に変形できるものであることを特徴とする動物の捕獲檻を提供する。このように底部材を設けないとすれば、動物にとっても違和感がないから（獣道を歩いているのと同じであるから）、捕獲檻の中に入って来る。
【０００５】
又、落とし扉の落下は、檻内に設けられる引金部材の作動によって落とし扉が自重で落ちるようになっているが、上記の手段によれば、獣道に勾配があると、その勾配に合わせて檻を変形させておけばよい。即ち、変形させたとしても、落とし扉をガイドするガイド体は直立させることができるから、こじ等による作動不良を起こさない。
【０００６】
【発明の実施の形態】
以下、本発明の実施の形態を図面を参照して説明する。図１は本発明の一例を示す捕獲檻の側面図、図２は正面図であるが、この捕獲檻（以下、檻という）は、前後壁１、左右側壁２及び天井壁３からなる直方体形状の籠である。但し、底部材は設けられていないから、この檻を地面に設置したときには、前後壁１と左右側壁２及び天井壁３とで空間を仕切り、地面がそのまま底となっている。本例の場合、以上の籠を一つのユニットとしており、このユニットを前後に三個連結して一個の檻としている。但し、途中の前後壁１は取り除き、全体の前後壁１のみを残しておく。
【０００７】
この場合、前後壁１、左右側壁２及び天井壁３共に縦桟１ａ、２ａ、３ａと横桟１ｂ．２ｂ、３ｂとをボルト４等で枢着して枠組している。従って、左右側壁２を構成する縦桟２ａと横桟２ｂとを止めているボルト４を緩めると、左右側壁３の形状が側面視で平行四辺形に変形できることになる。更に、前後壁１や左右側壁２には縦格子５が適当な間隔をあけて設けられており、この縦格子５を最下段の横桟１ｂ、２ｂよりも下方に突出させてこの突出部分を地面に食い込ませて固定している。
【０００８】
そして、前後壁１（両端のユニットのうちの外方に位置しているもの）は、上下にスライドできる落とし扉６で代替しており、常時は、この落とし扉６を上方に上げてこの部分を開口部７としている。尚、本例では、落とし扉６を設けているのは前後両方の壁であるが、片側だけの場合もある。動物がこの開口部７から檻の中に入って来ると、落とし扉６が落ちて中に閉じ込めるようになっており、落とし扉６の落下は、落とし扉落下装置８によって自動的に行われる。
【０００９】
図５は落とし扉６のスライド構成を示す要部の断面平面図であるが、前後壁１の両側の縦桟１ａにガイド体９を起立させ、このガイド体９で上下にスライド自在にガイドされるスライダ１０を落とし扉６の両側に取り付けている。これにより、落とし扉６は、ガイド体９をガイドとして自由に上下できるが、それには、ガイド体９が直立していることが条件となる（そうでない場合はこじて動きがスムーズでない）。尚、本例のスライダ１０は摺動式のものであるが、ローラ等による転動式のものであってもよく、その場合はこじがないし、要する力も軽い。
【００１０】
図３は落とし扉落下装置８の要部の一部断面側面図、図４は同じく平面図であるが、本例における落とし扉落下装置８は、ガイド体９等に取り付けられる滑車１１と、一端が上方に吊り上げられた状態の前後の落とし扉６の上端等に係着されて他端がこの滑車１１に巻回されて中央側に導かれ、ここに設けられたローラ装置１２等に巻回された後に落とし扉６に作用する安全ピン１３に係着される索条１４と、一端が安全ピン１３を上から押さえてその跳ね上がりを止めているレバー１５に係着されて他端が方向変換装置１６等で方向を変換された後に適当な高さの左右側壁２間に張られる索条１７とからなる。尚、本例では、以上の滑車１１や索条１４等は中央に一個のみを設けるものを示したが、左右方向に複数個設けてもよく、その場合はこじ等がないから、作動がより円滑になる。
【００１１】
このような落とし扉落下装置８によれば、この中に動物が入って索条１７に触れると、この索条１７を引っ張り、レバー１５を回動させて安全ピン１３を自由にする。すると、安全ピン１３は跳ね上がって落とし扉５を吊り上げている索条１４が緩ませるから、落とし扉６はガイド体９中を自重で落下して開口部７を閉ざし、檻の中に動物を閉じ込める。この点で上記した索条１７は引金部材ということになり、檻に入って来た動物がもっとも触れ易い高さに設定されている。
【００１２】
図６は以上の檻の他の使用状態を示す側面図であるが、獣道が勾配になっているような場合に以上の檻をそのまま仕掛けると、ガイド体９が傾斜して落とし扉６がこじてスムーズに動かないことがある。そこで、この場合は、左右側壁２の縦桟２ａと横桟２ｂとを枢着しているボルト４を緩め、左右側壁２を側面視で最下段の横桟２ｂは地面に沿うが、ガイド体９は直立するような姿勢に変形させればよい。こうすると、落とし扉６はこじることがなく、ガイド体９中を自由にスライドするから、自重式の落とし扉落下装置８をそのまま使用できる。
【００１３】
【発明の効果】
以上、本発明は上記したものであるから、即ち、獣道等に仕掛ける捕獲檻に底部材を設けず、地面そのまましておくものであるから、動物の警戒心を解いて中に誘導し易い。又、捕獲檻を構成する左右側壁が側面視で平行四辺形に変形できるものにすれば、傾斜地に仕掛ける場合でも、落とし扉をガイドするガイド体を直立させることができるから、簡単でコストの安い自重式の落とし扉落下装置をそのまま使用できる。
【図面の簡単な説明】
【図１】本発明の一例を示す動物の捕獲檻の側面図である。
【図２】本発明の一例を示す動物の捕獲檻の正面図である。
【図３】本発明の一例を示す落とし扉落下装置の要部の一部断面側面図である。
【図４】本発明の一例を示す落とし扉落下装置の要部の一部断面平面図である。
【図５】本発明の一例を示す落とし扉の要部の一部断面平面図である。
【図６】本発明の他の一例を示す動物の捕獲檻の側面図である。
【符号の説明】
１    前後壁
２    左右側壁
３    天井壁
６    落とし扉
７    開口部
【図１】
0003604011.tif 000002
【図２】
0003604011.tif 000003
【図３】
0003604011.tif 000004
【図４】
0003604011.tif 000005
【図５】
0003604011.tif 000006
【図６】
0003604011.tif 000007